(57)【要約】      （修正有）【課題】底面に光を透過でき３６０度全方向の発光効果を達成できる。【解決手段】全方向型発光ダイオード構造は、少なくとも２つの導電架台及び少なくとも一つの発光チップを含む。該各導電架台の上端に結合部が形成され、該発光チップは、該少なくとも２つの導電架台の結合部に設けられ、該発光チップが少なくとも２つの導電架台の結合部に電気的に接続され、該発光チップが懸垂状態になることによって、３６０度全方向発光でき、並びに安定するように位置決めすることができる。【選択図】図１
0003140311.tif 000002
【実用新案登録請求の範囲】
【請求項１】
上端に結合部が形成された少なくとも２つの導電架台と、
前記少なくとも２つの導電架台の結合部に設けられ、前記少なくとも２つの導電架台の結合部に電気的に接続され、懸垂状態になる少なくとも一つの発光チップと、を含むことによって３６０度の全方向発光を形成する、
全方向型発光ダイオード構造。
【請求項２】
前記各導電架台の結合部が逆コ字状になり、かつ、前記少なくとも２つの導電架台は対向的に設けられたことを特徴とする、請求項１に記載の全方向型発光ダイオード構造。
【請求項３】
前記逆コ字状の結合部の上端は、電気接続部であり、前記電気接続部が前記発光チップに半田付けされ、下端は支持定位部であり、前記支持定位部は、該発光チップを安定して位置決めるするためのものであることを特徴とする、請求項２に記載の全方向型発光ダイオード構造。
【請求項４】
前記各導電架台の結合部は、前記発光チップに半田付けされ、電気的に接続されることを特徴とする、請求項１に記載の全方向型発光ダイオード構造。
【請求項５】
前記少なくとも２つの導電架台及び該発光チップは、さらに、透光コロイドで覆われ、前記透光コロイドで覆うときに、前記発光チップを完全に覆い、前記導電架台は一部に覆われることを特徴とする、請求項１に記載の全方向型発光ダイオード構造。
【請求項６】
前記透光コロイド内に蛍光粉がドープされていることを特徴とする、請求項５に記載の全方向型発光ダイオード構造。
【考案の詳細な説明】
【技術分野】
【０００１】
本考案は、全方向型発光ダイオード構造に係り、特に少なくとも２つの導電架台及び少なくとも一つの発光チップの組合設計により、３６０度の全方向発光を備え並びに安定に位置決められ、発光ダイオード或は類似構造に適応するものである。
【背景技術】
【０００２】
現在、伝統的な照明ランプは、まだ様々な問題が存在しており、例えば、白熱灯が安価であるが、発光効率が低く、表面が高温で破れやすく並びに寿命が短い。発光ダイオードは、電力消費量が低く、発熱量が低く、安全で破れ難く、寿命が長い等の利点を備えるため、発光ダイオードは、現在、殆ど電子製品指示または照明に使用されている。
【０００３】
一般に、従来の発光ダイオード構造は、主に、凹溝を具備する架台を設け、該凹溝内に発光チップが結合され、さらに、該発光チップがボンディグワイヤを介して他の脚に接続され、最後に、さらに封止コロイドにより、架台、発光チップ、ボンディグワイヤ及び他の脚を一体に結合し、発光ダイオードの作製を完了する。
【０００４】
しかしながら、前記従来の発光ダイオードは、電源オンされる時に、発光チップが該ベースの凹溝内に結合され、該発光チップ周縁及び底面からの光がいずれも凹溝に遮られて、反射するため、該発光ダイオードは、正方向からの光のみを発射し、該発光ダイオードの裏側にその発する光が見られない。また、表面実装技術によりチップを印刷回路基板に直接的に接続し、該回路基板が電源オンされると、該チップが５つの方面（前、後、左、右、上）には発光できるが、その底面には依然、光を透過できず、白熱灯のように３６０度全方向の発光効果を達成できない。
【０００５】
これを鑑み、本考案の創作者は、発光ダイオードが発する光がそれぞれの角度でともに見られる全方向型発光ダイオード構造の提供を期し、専念な観察かつ研究をし、さらに学術理論の運用に合せ、合理的に設計且つ組み立てし消費者に提供することが、本考案の創作動機である。
【考案の開示】
【考案が解決しようとする課題】
【０００６】
本考案の主な目的は、少なくとも２つの導電架台及び少なくとも一つの発光チップの組合設計により、各導電架台の結合部が逆コ字状になり、該発光チップが懸垂状態になり、発光チップの周縁に障碍物を無くすため、その発光領域が制限されず、３６０度で均一に全方向発光でき、本考案の実用性を増進できる全方向型発光ダイオード構造を提供することにある。
【０００７】
本考案の次の目的は、少なくとも２つの導電架台及び少なくとも一つの発光チップの組合設計により、各導電架台の結合部が逆コ字状になり、該各結合部の支持定位部が該発光チップを安定に位置決めることができ、本考案の実用性を増進できる全方向型発光ダイオード構造を提供することにある。
【課題を解決するための手段】
【０００８】
前記目的を達成するために、本考案は、少なくとも２つの導電架台及び少なくとも一つの発光チップを含む。前記各導電架台の上端に結合部が形成され、前記発光チップは、前記少なくとも２つの導電架台の結合部に設けられ、前記発光チップが前記少なくとも２つの導電架台の結合部に電気的に接続され、前記発光チップが懸垂状態になることによって、全体に３６０度全方向発光できる全方向型発光ダイオード構造を提供する。
【考案の効果】
【０００９】
本考案に係る全方向型発光ダイオード構造は、発光効率を大幅に向上し並びに３６０度の均一発光などの効果を備え、実用性を向上できる。
【考案を実施するための最良の形態】
【００１０】
本考案の他の特徴及び具体的な実施例は、後続の詳しく説明及び図示よりさらに了解できる。
【実施例】
【００１１】
図１〜図３に示すように、本考案に係る全方向型発光ダイオード構造は、少なくとも２つの導電架台１０及び少なくとも一つの発光チップ２０を含む。
【００１２】
各導電架台１０の上端に結合部１１が形成され、各導電架台１０の結合部１１が逆コ字状になり、該結合部１１の上端は電気接続部１１１、下端は支持定位部１１２であり、該少なくとも２つの導電架台１０は対向的に設けられている。
【００１３】
少なくとも一つの発光チップ２０は、該少なくとも２つの導電架台１０の結合部１１に設けられ、該発光チップ２０が該結合部１１の電気接続部１１１に半田付され、電気的に接続され、該結合部１１の支持定位部１１２は、該発光チップ２０を安定に位置決め、該発光チップ２０が懸垂状態になる。
【００１４】
使用する時に、本考案の少なくとも２つの導電架台１０の一側を正極に接続し、他の側を負極に接続し、該少なくとも２つの導電架台１０の各結合部１１の電気接続部１１１は、該発光チップ２０（複数の発光チップ２０であっても良い）の正負極に半田付され、該各結合部１１の支持定位部１１２は、該発光チップ２０を安定に位置決め、該発光チップ２０が懸垂状態になり、その周囲には発光チップ２０からの光を障碍する障碍物が設けられていないため、該発光チップ２０が発する光が、３６０度で発光でき、図３を同時に参照すると、該発光ダイオードは、如何なる角度から見て、その発する光がともにはっきり見られる。
【００１５】
図４〜図５は、本考案の第２実施例であり、該少なくとも２つの導電架台１０及び該発光チップ２０（複数の発光チップ２０であっても良い）は、さらに、透光コロイド３０（該透光コロイド３０内に蛍光粉３１がドープされても良い）で覆われ、該透光コロイド３０で覆うときに、該発光チップ２０を完全に覆い、該導電架台１０は一部に覆われ、使用する時に、該少なくとも２つの導電架台１０の一側が正極に接続し、他の側が負極に接続し、該少なくとも２つの導電架台１０の各結合部１１の電気接続部１１１は、該発光チップ２０の正負極に半田付され、該各結合部１１の支持定位部１１２は、該発光チップ２０を安定に位置決め、該発光チップ２０が懸垂状態になり、その周囲には発光チップ２０からの光を障碍する障碍物が設けられていないため、該発光チップ２０が発する光が３６０度で発光でき、図５を同時に参照すると、該発光ダイオードは、如何なる角度から見ても、その発する光がともにはっきり見られる。
【００１６】
図１〜図５に示すように、本考案に係る全方向型発光ダイオード構造の特徴は、少なくとも２つの導電架台１０及び少なくとも一つの発光チップ２０の組合設計により、該各導電架台１０の結合部１１が逆コ字状になり、かつ該少なくとも２つの導電架台１０は対向的に設けられ、該少なくとも２つの導電架台１０の各結合部１１の電気接続部１１１は、該発光チップ２０の正負極に半田付され、該各結合部１１の支持定位部１１２は、該発光チップ２０を安定に位置決め、該発光チップ２０が懸垂状態になり、発光チップの周縁に障碍物を無くすため、その発光領域が制限されず、該発光ダイオードは、如何なる角度から見て、その発する光がともにはっきり見られ、本考案は、発光効率を大幅に向上し並びに３６０度の均一発光などの効果を備え、本考案の実用性を向上できる。
【００１７】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の請求範囲内に含まれるべきことは言うまでもないことである。
【図面の簡単な説明】
【００１８】
【図１】本考案のチップの外観斜視図である。
【図２】本考案の実施例の素子分解図である。
【図３】本考案の実施例の使用状態を示す図である。
【図４】本考案の第２の実施例の外観斜視図である。
【図５】本考案の第２の実施例の使用状態を示す図である。
【符号の説明】
【００１９】
１０    導電架台
１１    結合部
１１１  電気接続部
１１２  支持定位部
２０    発光チップ
３０    透光コロイド
３１    蛍光粉
【図１】
0003140311.tif 000003
【図２】
0003140311.tif 000004
【図３】
0003140311.tif 000005
【図４】
0003140311.tif 000006
【図５】
0003140311.tif 000007